(57)【要約】【課題】パッシブ方式の画像表示装置において、２次元画像を視聴する際の、パターン位相差フィルムにおける領域の設定に対応するスジを低減する。【解決手段】透過光に与える位相差が異なる第１及び第２の領域Ａ及びＢが順次交互に設けられたパターン位相差フィルム１において、透明基材上に正の波長分散特性による第１の位相差層４、第２の位相差層５が順次形成され、第１又は第２の位相差層４又は５が、透過光に１／４波長分の位相差を付与する１／４波長板用位相差層であり、前記第２又は第１の位相差層５又は４が、透過光に１／２波長分の位相差を付与する１／２波長板用位相差層である。【選択図】図６
2014182244.tif 000002
【特許請求の範囲】
【請求項１】
透過光に与える位相差が異なる第１及び第２の領域が順次交互に設けられたパターン位相差フィルムにおいて、
第１の位相差層、第２の位相差層の積層による位相差層積層体を備え、
前記第１の位相差層が、透過光に１／４波長分の位相差を付与する１／４波長板用位相差層であり、
前記第２の位相差層が、透過光に１／２波長分の位相差を付与する１／２波長板用位相差層であり、前記第１及び第２の領域にそれぞれ対応する領域が形成された
パターン位相差フィルム。
【請求項２】
前記第１の位相差層は、
前記第１及び第２の領域に対応する領域が形成された
請求項１に記載のパターン位相差フィルム。
【請求項３】
前記第１の位相差層は、
透過光に与える位相差が全面で均一に設定された
請求項１に記載のパターン位相差フィルム。
【請求項４】
請求項１、請求項２、請求項３の何れかに記載のパターン位相差フィルムが画像表示パネルのパネル面に配置された
画像表示装置。
【発明の詳細な説明】
【技術分野】
【０００１】
本発明は、パッシブ方式による３次元画像表示に関するものである。
【背景技術】
【０００２】
近年、パッシブ方式により３次元画像を表示する画像表示装置が提供されている。ここで図１０は、液晶表示パネルを使用したパッシブ方式の画像表示装置を示す概略図である。パッシブ方式の画像表示装置は、垂直方向又は水平方向（この図１０の例では、垂直方向）に連続する液晶表示パネルの画素を、順次交互に、右目用及び左目用に割り当て、それぞれ右目用及び左目用の画像データで駆動し、これにより右目用の画像と左目用の画像とを同時に表示する。また液晶表示パネルのパネル面（視聴者側面）にパターン位相差フィルムを配置し、右目用の画素及び左目用の画素からの直線偏光による出射光を、右目用及び左目用で方向の異なる円偏光に変換する。これによりパッシブ方式では、対応する偏光フィルタを備えてなる眼鏡を装着して、右目用の画像と左目用の画像とをそれぞれ選択的に視聴者の右目及び左目に提供し、３次元画像を表示する。
【０００３】
このためパターン位相差フィルムは、液晶表示パネルにおける画素の設定に対応して、遅相軸方向（屈折率が最大となる方向）が直交する２種類の帯状領域が順次交互に形成される。これによりパッシブ方式では、対応する偏光フィルタを備えてなる眼鏡を装着して、右目用の画像と左目用の画像とをそれぞれ選択的に視聴者の右目及び左目に提供する。なおここでこの隣接する帯状領域の遅相軸方向は、通常、水平方向に対して、＋４５度と−４５度、又は０度と＋９０度の組み合わせが採用される。なおこの図１０の例では、通常の画像表示装置における呼称に習って画面の長辺方向を水平方向として示す。
【０００４】
このパッシブ方式は、応答速度の遅い画像表示装置でも適用することができ、さらにパターン位相差フィルムと円偏光メガネとを用いた簡易な構成で３次元表示することができる。なおパッシブ方式の画像表示装置では、図１０の例による垂直方向に代えて、水平方向に連続する画素を順次交互に右目用及び左目用に振り分ける方法も採用される。
【０００５】
このパッシブ方式に係るパターン位相差フィルムは、画素の割り当てに対応して透過光に位相差を与えるパターン状の位相差層が必要である。このパターン位相差フィルムに関して、特許文献１には、配向規制力を制御した光配向層をガラス基板上に形成し、この光配向層により液晶の配列をパターンニングして位相差層を作製する方法が開示されている。また特許文献２には、レーザーの照射によりロール版の周側面に微細な凹凸形状を形成し、この凹凸形状を転写してパターン状に配向規制力を制御した光配向層を作製する方法が開示されている。
【０００６】
また特許文献３には、１／２波長板、１／４波長板、直線偏光板の積層により、広い波長帯域で楕円率が１に近い円偏光板を構成する方法が提案されている。
【０００７】
この種の光学フィルムの位相差層に適用される液晶材料は、一般的には正の波長分散特性であるものの、近年、逆分散特性の液晶材料が提案されている。なおここで逆分散特性とは、短波長側ほど透過光における位相差が小さい波長分散特性であり、より具体的には、４５０ｎｍの波長におけるリタデーション（Ｒ４５０）と、５５０ｎｍの波長におけるリタデーション（Ｒ５５０）との関係が、Ｒ４５０＜Ｒ５５０である特性である。正の波長分散特性は、これとは逆に長波長側ほど透過光における位相差が小さい波長分散特性であり、より具体的には、Ｒ４５０＞Ｒ５５０である特性である。
【０００８】
ところでパッシブ方式により３次元画像を表示する画像表示装置において、２次元画像を視聴する場合、表示画面にスジが見て取られる場合がある。なおこのスジに係る２次元画像の視聴は、２次元画像表示用の画像データにより画像表示パネルを駆動して２次元画像を表示し、この表示を３次元画像表示用の円偏光メガネを着用しないで視聴する場合である。このスジは、パターン位相差フィルムにおいて、右目用の画素からの出射光に対応する位相差を付与する領域（以下、右目用領域と呼ぶ）と、左目用の画素からの出射光に対応する位相差を付与する領域（以下、左目用領域と呼ぶ）とで、画面が異なる色味や異なる明るさで観察されて発生するものである。このような色味、明暗に係るスジにあっては、極力、低減することが望まれる。
【０００９】
なおパッシブ方式の画像表示装置では、この色味、明暗に係るスジを含めて、種々のスジの発生が広く知られている。具体的に、３次元画像表示の際に、右目用及び左目用にそれぞれ偶数ライン及び奇数ラインが割り当てられることにより、原理的に、右目用領域及び左目用領域に係るスジが見えることになる。しかしながら上述の色味、明暗に係るスジは、２次元画像を視聴する場合に発生することにより、このパッシブ方式の画像表示装置における原理的なスジとは異なるものである。
【先行技術文献】
【特許文献】
【００１０】
【特許文献１】特開２００５−４９８６５号公報
【特許文献２】特開２０１０−１５２２９６号公報
【特許文献３】特開平１０−６８８１６号公報
【発明の概要】
【発明が解決しようとする課題】
【００１１】
本発明はこのような状況に鑑みてなされたものであり、パッシブ方式の画像表示装置において、２次元画像を視聴する際の、パターン位相差フィルムにおける領域の設定に対応するスジを低減することができるパターン位相差フィルム、画像表示装置を提供することを目的とする。
【課題を解決するための手段】
【００１２】
本発明者は、上記課題を解決するために鋭意研究を重ね、完全な円偏光ではハイディンガーのブラシを視認できない点に着目し、積層構造により位相差層を作製して出射光を完全な円偏光に近づけるとの着想に至り、本発明を完成するに至った。
【００１３】
（１）  透過光に与える位相差が異なる第１及び第２の領域が順次交互に設けられたパターン位相差フィルムにおいて、
第１の位相差層、第２の位相差層の積層による位相差層積層体を備え、
前記第１の位相差層が、透過光に１／４波長分の位相差を付与する１／４波長板用位相差層であり、
前記第２の位相差層が、透過光に１／２波長分の位相差を付与する１／２波長板用位相差層であり、前記第１及び第２の領域にそれぞれ対応する領域が形成された。
【００１４】
（１）によれば、広い波長帯域で透過光の楕円率を１に近づけることができ、これによりパターン位相差フィルムにおける領域の設定に対応するスジを低減することができる。
【００１５】
（２）  （１）において、
前記第１の位相差層は、
前記第１及び第２の領域に対応する領域が形成された。
【００１６】
（２）によれば、第１及び第２領域の設定に対応して、広い波長帯域で透過光の楕円率を１に近づけることができることにより、パターン位相差フィルムにおける領域の設定に対応するスジを低減することができる。
【００１７】
（３）  （１）において、
前記第１の位相差層は、
透過光に与える位相差が全面で均一に設定された。
【００１８】
（３）によれば、簡易な構成により、パターン位相差フィルムにおける領域の設定に対応するスジを低減することができる。
【００１９】
（４）  （１）、（２）、（３）の何れかに記載のパターン位相差フィルムが画像表示パネルのパネル面に配置された画像表示装置。
【００２０】
（４）によれば、パターン位相差フィルムにおける領域の設定に対応するスジを低減してなる画像表示装置を提供することができる。
【発明の効果】
【００２１】
パッシブ方式の画像表示装置において、２次元画像を視聴する際の、パターン位相差フィルムにおける領域の設定に対応するスジを低減することができる。
【図面の簡単な説明】
【００２２】
【図１】パッシブ方式による画像表示装置におけるスジの確認結果を示す図である。
【図２】波長分散の説明に供する特性曲線図である。
【図３】波長による楕円率の変化を示す特性曲線図である。
【図４】楕円率の説明に供する図である。
【図５】本発明の第１実施形態に係るパターン位相差フィルムを示す図である。
【図６】図５のパターン位相差フィルムの位相差層積層体の説明に供する図である。
【図７】従来のパターン位相差フィルムの位相差層の説明に供する図である。
【図８】本発明の第２実施形態に係るパターン位相差フィルムを示す図である。
【図９】本発明の第３実施形態に係るパターン位相差フィルムを示す図である。
【図１０】パッシブ方式による３次元画像表示の説明に供する図である。
【発明を実施するための形態】
【００２３】
以下、本発明の実施形態について図面を参照しながら説明する。
【００２４】
〔スジの防止原理〕
図１は、パッシブ方式による画像表示装置において、２次元画像を表示し、その表示を画面正面によりカメラにより撮影し、また目視により観察し、パターン位相差フィルムにおける領域の設定に対応する色味、明暗に係るスジを確認した結果である。ここでＦＰＲは、パターン位相差フィルムにおける右目用領域及び左目用領域における遅相軸方向を示し、右目用領域及び左目用領域の延長方向を基準にした角度である。また偏光板は、このパターン位相差フィルムの設定に対応してパターン位相差フィルムの入射面側の画像表示パネルに設けられる直線偏光板について、その透過軸方向を示すものである。
【００２５】
この確認結果において、偏光板の透過軸方向を０度又は９０度に設定した場合、カメラにより撮影した結果（静止画像）では、スジを検出できないにも係わらず、目視による観察では、黄色のスジが視認された。なお偏光板の透過軸方向を４５度に設定した場合、カメラによっても、目視によっても、濃淡のスジが確認されたものの、目視により確認される濃淡のスジは、偏光板の透過軸方向を０度又は９０度に設定した場合に目視により視認される黄色のスジと同程度のものであった。これらの濃淡スジ、黄色のスジのうち、濃淡スジは、カメラ及び目視の双方で確認されることにより、明らかにパターン位相差フィルムからの光量の変化によるものである。しかしながら黄色のスジにあっては、目視による場合にのみ検出されることにより人間の目に依存するものであると判断される。
【００２６】
すなわち右目用領域及び左目用領域では、パターン位相差フィルムからの出射光で偏光状態が異なる。これによりこの黄色のスジにあっては、その発生原因が、人間の目が僅かながらも偏光を知覚できることによるものであると判断される。なおこのように人間の目が偏光を知覚する内視現象については、ハイディンガーのブラシとして知られており、個人差を有するものである。
【００２７】
種々に検討したところ、直線偏光、楕円偏光ではハイディンガーのブラシが知覚されるものの、楕円偏光が完全な円偏光に近づくと徐々にハイディンガーのブラシを知覚できなくなり、完全な円偏光ではハイディンガーのブラシを全く知覚できないことが判った。そこでこの実施形態では、パターン位相差フィルムからの出射光を理想的な円偏光に近づけることにより、パターン位相差フィルムにおける領域の設定に対応するスジを低減する。
【００２８】
ここでパターン位相差フィルムでは、液晶材料による位相差層により透過光に位相差を付与し、画像表示パネルからの直線偏光による出射光を、右目用領域及び左目用領域で回転方向の異なる円偏光により出射する。ここで位相差層に適用される液晶材料は、一般に正の波長分散性を有しており、その結果、パターン位相差フィルムにおいては、特定波長では完全な円偏光により画像表示パネルからの入射光を出射できるものの、この特定波長以外では完全な円偏光により入射光を出射し得ず、この特定波長以外では、楕円偏光により入射光を出射することになる。
【００２９】
そこでこの実施形態では、１／２波長板、１／４波長板の積層構造により位相差層を形成することにより、波長方向に見た場合における出射光を円偏光に近づけ、パターン位相差フィルムにおける領域の設定に対応するスジを低減する。
【００３０】
より具体的に、この実施形態では、複数の位相差層の積層体（以下、位相差層積層体と呼ぶ）によりパターン位相差フィルムを作製する。
【００３１】
図２は、一定の厚みにより１／４波長板用の位相差層を作製した場合の、位相差量を示す図表である。この図２において、符号Ｌ１は、波長の増大に比例して位相差が増大する理想的な逆分散特性を示すものである。また符合Ｌ２は、一般の正の分散特性の液晶材料による特性を示すものである。
【００３２】
図３は、この図２の特性による楕円率を示す図である。なお楕円率は、図４に示すように、円偏光における長軸の長さａ及び短軸の長さｂの比率Ｄ＝ｂ／ａであり、Ｄ＝０は直線偏光であり、Ｄ＝１は完全な円偏光である。従って楕円偏光では、１＞Ｄ＞０である。符号Ｌ４は、位相差層積層体を１／２波長板用位相差層と１／４波長板用位相差層とによる２層の位相差層により構成し、各位相差層をそれぞれパターニングした場合（後述する第１実施形態の例である）の結果を示すものである。符号Ｌ５は、この２層の位相差層の１層のみをパターニングした場合（後述する第２及び第３実施形態の例である）の結果を示すものである。この図３の特性曲線によれば、正の分散特性による場合（符号Ｌ２）に比して、位相差層積層体により（符号Ｌ４、Ｌ５）、より広い波長帯域で楕円率を値１に近づけることができ、これによりパターン位相差フィルムにおける領域の設定に対応するスジを低減することができる。
【００３３】
なおこのようにパターン位相差フィルムを用いて広帯域円偏光板にする場合には、３次元画像を視聴する際に着用する眼鏡においても、波長分散特性をパターン位相差フィルムの波長分散特性に極力近づけた位相差板を用いて広帯域円偏光板にすることにより、クロストークを抑圧して画質劣化を防止することができる。またさらに広い波長帯域で楕円率が１に近い円偏光になるため、色ムラ(カラーシフト)も抑えることができる。
【００３４】
〔第１実施形態〕
図５は、本発明の第１実施形態に係る画像表示装置に適用されるパターン位相差フィルムを示す図である。この第１実施形態に係る画像表示装置は、２次元画像表示モードと３次元画像表示モードとを備え、３次元画像表示モードでは、パッシブ方式により３次元画像を提供する。すなわちこの３次元画像表示モードにおいて、画像表示装置は、画像表示パネルの垂直方向（図１においては左右方向が対応する方向である）に連続する画素が、順次交互に、右目用の画像を表示する右目用画素、左目用の画像を表示する左目用画素に振り分けられて、それぞれ右目用及び左目用の画像データで駆動される。これにより画像表示装置は、右目用の画像を表示する帯状の領域と、左目用の画像を表示する帯状の領域とに表示画面が交互に区分され、右目用の画像と左目用の画像とを同時に表示する。この画像表示装置は、この液晶表示パネルのパネル面に、この図１に示すパターン位相差フィルム１が配置され、このパターン位相差フィルム１により右目用及び左目用の画素からの出射光にそれぞれ対応する位相差を与える。これによりこの画像表示装置は、パッシブ方式により所望の立体画像を表示する。
【００３５】
これに対して２次元画像表示モードでは、連続する画像データにより画像表示パネルを駆動して２次元画像を表示する。
【００３６】
ここでパターン位相差フィルム１は、ＴＡＣ（トリアセチルセルロース）等の透明フィルムからなる基材２の一方の面上に、位相差層積層体３が設けられる。ここで位相差層積層体３は、１／２波長板用位相差層４と１／４波長板用位相差層５との積層体により構成され、各位相差層４、５は、正の分散特性による同一の液晶材料により形成される。またそれぞれ波長５５０ｎｍの透過光に対して１／４波長分の位相差、１／２波長分の位相差を付与する厚みにより作製される。
【００３７】
この実施形態において、各位相差層４、５は、それぞれ配向層６、７が設けられ、それぞれ対応する配向層６、７の配向規制力により液晶材料が配向して屈折率異方性を保持した状態で固化（硬化）されて作製される。パターン位相差フィルム１は、この配向層６、７の配向規制力により位相差層４、５をパターニングして、液晶表示パネルにおける画素の割り当てに対応して、一定の幅により、右目用の領域（第1の領域）Ａと左目用の領域（第２の領域）Ｂとが順次交互に帯状に形成され、右目用及び左目用の画素からの出射光にそれぞれ対応する位相差を与える。
【００３８】
パターン位相差フィルム１は、光配向材料により光配向材料層が基材２上に作製された後、この光配向材料層に直線偏光による紫外線を照射し、これにより光配向の手法を適用して配向層６が形成される。ここでこの光配向材料層に照射する紫外線は、その偏光の方向が右目用の領域Ａと左目用の領域Ｂとで異なるように設定され（図６参照）、これにより位相差層４に設けられる液晶材料に関して、右目用の領域Ａ及び左目用の領域Ｂとで対応する向きに液晶分子を配向させ、透過光に対応する位相差を与える。なお光配向材料は、光配向の手法を適用可能な各種の材料を適用することができるものの、この実施形態では、一旦配向した後には、紫外線の照射によって配向が変化しない、例えば光２量化型の材料を使用する。なおこの光２量化型の材料については、「M.Schadt,  K.Schmitt,  V.  Kozinkov  and  V.  Chigrinov  :  Jpn.  J.  Appl.Phys.,  31,  2155  (1992)」、「M.  Schadt,  H.  Seiberle  and  A.  Schuster  :  Nature,  381,  212  (1996)」等に開示されており、例えば「ROP-103」（Rolic  technologies  Ltd.社製）の商品名により既に市販されている。
【００３９】
なおこのように右目用領域又は左目用領域を選択的に露光処理した後、全面を露光処理して配向層を作製する代わりに、これとは逆に全面の露光処理の後、右目用領域又は左目用領域を選択的に露光処理して配向層を作製してもよく、また右目用領域又は左目用領域を選択的に露光処理した後、未露光の左目用領域又は右目用領域を選択的に露光処理して配向層を作製してもよい。またさらに光配向の手法により配向層を作製する代わりに、賦型処理によりラビング処理の痕跡による微細な凹凸形状を作製して配向層を作製するようにしてもよい。
【００４０】
パターン位相差フィルム１は、続いて位相差層４に係る液晶材料の塗工液が塗布された後、紫外線の照射により位相差層４が作製される。続いて配向層７に係る塗工液が塗布されて光配向材料層が位相差層４上に作製された後、配向層６と同様の紫外線を使用した露光処理により配向層７が作製される。また続いて位相差層４と同様にして位相差層５が作製される。なおこの実施形態において、配向層６及び７、位相差層４、５は、それぞれ同一の材料により作製される。これにより位相差層４、５は、波長分散特性が同一になるように作製される。
【００４１】
なお転写法の手法を適用して位相差層４及び又は５を基材２上に作製することにより、配向層６、７の双方又は１方を省略してもよい。なお転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。また相差層に光配光性の液晶ポリマーを適用することにより、配向層を省略してもよい。
【００４２】
図６は、パターン位相差フィルム１における位相差層４、５の説明に供する図である。この図６において、符号１１は、パターン位相差フィルム１の直前に配置される液晶表示パネルの直線偏光板を示し、この実施形態では、この直線偏光板１１の透過軸方向が垂直方向又は水平方向となるように配置される。なお図６及び以下においては、この透過軸方向を垂直方向に配置した場合を示し、透過軸方向を矢印により示す。なお吸収軸方向は透過軸方向に直交する方向である。また位相差層４、５における遅相軸方向を楕円の長軸方向により示す。また各方向は、直線偏光板１１の吸収軸方向である領域Ａ及びＢの延長方向を基準にした出射面側から見た反時計方向の角度により示す。
【００４３】
パターン位相差フィルム１は、位相差層４では、右目用領域Ａ及び左目用領域Ｂで、直線偏光板１１の吸収軸方向に対する遅相軸方向がそれぞれ１５度及び−１５度の角度を成すように、また位相差層５では、右目用領域Ａ及び左目用領域Ｂで、直線偏光板１１の吸収軸方向に対する遅相軸方向がそれぞれ７５度及び−７５度の角度を成すように、位相差層４、５が作製される。なおこれにより配向層６及び７は、対応する位相差層４、５の領域Ａ、Ｂの遅相軸方向に対応する方向の直線偏光により紫外線が照射されて作製されることになる。
【００４４】
これにより図７により位相差層を単層より作成する従来構成との対比により示すように、パターン位相差フィルム１は、位相差層積層体３により１／４波長位相差板として機能し、各領域Ａ及びＢの透過光を方向の異なる円偏光により出射する。
【００４５】
ここで位相差層４、５について、領域Ａ及びＢの遅相軸方向を偏光板吸収軸に対して、１５度及び−１５度の角度、７５度及び−７５度の角度に設定すれば、位相差層積層体３における円偏光を最も広帯域化することができる。なお位相差層４、５について、領域Ａ及びＢの遅相軸方向を偏光板吸収軸に対して、７５度及び−７５度の角度、１５度及び−１５度の角度に設定しても同様の効果が得られる。また右目用領域Ａと左目用領域Ｂの位相差層を逆にしてもよい。その場合、眼鏡側の円偏光板も逆にする必要がある。
【００４６】
なお直線偏光板１１の吸収軸方向に対する位相差層４、５における遅相軸方向は、直線偏光板１１の吸収軸方向に対する１／２波長板用位相差層４、１／４波長板用位相差層５における遅相軸方向の角度をそれぞれα、βとおくとき、β＝２α＋４５［度］（９０＞α＞０）又はβ＝２α−４５［度］（−９０＜α＜０）とすることにより、上述した角度以外の場合でも、広い波長帯域で楕円率が１に近い円偏光を得ることができる。ここで、角度α、βは、１８０度の任意性があり、１８０度回転させると元の状態に戻る。そのため、任意の整数ｎに対して、θ＝θ＋１８０×ｎ[度]（θ＝α、β）の関係があり、９０度より大きい角度や、−９０度より小さい角度についても上記式を適用することができる。ちなみに位相差層４と位相差層５の波長分散が等しい場合は、前記の角度が一番良い特性が得られる。
【００４７】
なお例えば異なる液晶材料を適用すること等により、位相差層４、５で波長分散特性が異なるようにしてもよく、この場合、位相差層４、５の遅相軸方向の角度については、最適な角度が異なり、位相差層４、５でそれぞれ上述した角度より変更して最適の角度に設定することができる。なお実用上十分にスジを防止できる場合には、このような最適な角度より異なる角度としてもよく、このようにしても１/４波長板１層による円偏光板よりも、広い波長帯域でより楕円率を１に近づけることができる。
【００４８】
以上の構成よれば、正の分散特性による位相差層を積層することにより、この複数の位相差層による位相差層積層体で楕円率が１に近い円偏光を確保することができ、これによりパターン位相差フィルム１における領域の設定に対応するスジを低減することができる。
【００４９】
またこの複数の位相差層に、それぞれ右目用領域Ａ及び左目用領域Ｂに対応する位相差を設定することにより、広い波長帯域で楕円率が１に近い円偏光を確保して十分にスジを低減することができる。
【００５０】
〔第２実施形態〕
図８は、本発明の第２実施形態に係るパターン位相差フィルムを示す図である。このパターン位相差フィルム２１は、位相差層積層体３に代えて、１／２波長板用位相差層１４、１／４波長板用位相差層１５による位相差層積層体１３が設けられる点を除いて、第１実施形態と同一に構成される。
【００５１】
ここで１／２波長板用位相差層１４は、直線偏光板１１の吸収軸方向に対する遅相軸方向が領域Ａ及びＢで２２．５度及び−２２．５度の角度を成すように形成される。これに対して１／４波長板用位相差層１５は、直線偏光板１１の吸収軸方向に対して遅相軸方向が９０度の角度を成すように形成され、これにより透過光に与える位相差が全面で均一に設定される。すなわちこの場合、領域Ａではα＝２２．５度に対して、β＝９０度になる。また領域Ｂではα＝−２２．５度に対して、β＝−９０度になる。ここで遅相軸の９０度と−９０度は、同じ方向であるため、１／４波長板用位相差層１５は、パターニングする必要がなくなり、これにより透過光に与える位相差が全面で均一に設定さる。
【００５２】
これによりパターン位相差フィルム２１では、位相差層１４、１５に対応する配向層が、それぞれ対応する方向の直線偏光により露光処理されて作製される。なおこのような配向層を使用して位相差層１５を作製する代わりに、延伸などで作られる市販の位相差フィルムを配置して位相差層１５を作製してもよい。またＴＡＣなどの基材を用いず、位相差フィルム１５を基材として、その上にパターン位相差層１４を形成してもよい。
【００５３】
この実施形態では、位相差層積層体を構成する２つ位相差層の１つだけを領域Ａ、Ｂにパターンニングすることにより、構成を簡略化することができる。
【００５４】
〔第３実施形態〕
図９は、本発明の第２実施形態に係るパターン位相差フィルムを示す図である。このパターン位相差フィルム３１は、位相差層積層体３、１３に代えて、１／２波長板用位相差層２４、１／４波長板用位相差層２５による位相差層積層体２３が設けられる点を除いて、第１実施形態、第２実施形態と同一に構成される。
【００５５】
ここで１／２波長板用位相差層２４は、直線偏光板１１の吸収軸方向に対する遅相軸方向が領域Ａ及びＢで６７．５度及び−６７．５度の角度を成すように形成される。これに対して１／４波長板用位相差層２５は、直線偏光板１１の吸収軸方向に対して遅相軸方向が一致するように形成される。この場合、領域Ａではα＝６７．５度、β＝１８０度になる。また領域Ｂではα＝−２２．５度に対して、β＝−１８０度になる。ここで、遅相軸の１８０度と−１８０度は、０度と同じ方向であるため、１／４波長板用位相差層２５は、パターニングする必要がなくなる。
【００５６】
これによりパターン位相差フィルム３１では、位相差層２４、２５に対応する配向層が、それぞれ対応する方向の直線偏光により露光処理されて作製される。なお位相差層２５については延伸などで作られる市販の位相差フィルムにより作製してもよい。また、ＴＡＣなどの基材を用いずに、位相差フィルム２５を基材として、その上にパターン位相差層２４を形成してもよい。
【００５７】
この実施形態によっても、位相差層積層体を構成する２つ位相差層の１つだけを領域Ａ、Ｂにパターンニングすることにより、構成を簡略化することができる。
【００５８】
〔他の実施形態〕
以上、本発明の実施に好適な具体的な構成を詳述したが、本発明は、本発明の趣旨を逸脱しない範囲で、上述の実施形態の構成を種々に組み合わせたり、変更したりすることができる。
【００５９】
すなわち上述の実施形態では、透明基材側より順次１／４波長板用位相差層、１／２波長板用位相差層を設ける場合について述べたが、本発明はこれに限らず、これとは逆に配置するようにして、位相差層の配置の順序を異なられるようにしてもよい。
【００６０】
また上述の第１実施形態等では、主に、正の波長分散特性による液晶を利用して位相差層を作成する場合について述べたが、本発明はこれに限らず、逆分散特性による液晶を利用して位相差層を作成する場合にも広く適用することができ、このように逆分散特性による液晶を利用する場合には、さらに一段と楕円率を１に近づけることができる。
【００６１】
また上述の実施形態では液晶表示パネルによる画像表示パネルに配置する場合について述べたが、本発明はこれに限らず、有機ＥＬ素子による画像表示パネル、プラズマディスプレイによる画像表示パネルに配置する場合等にも広く適用することができる。
【００６２】
また上述の実施形態では、偏光に基づく黄色のスジを防止する場合について述べたが、本発明はこれに限らず、濃淡のスジを防止する構成と組み合わせて、黄色、濃淡のスジの双方を知覚できないようにしてもよい。
【符号の説明】
【００６３】
１、２１、３１  パターン位相差フィルム
２  基材
３、１３、２３  配向層積層体
４、５、１４、１５、２４、２５  位相差層
６、７  配向層
１１  直線偏光板
【図１】
2014182244.tif 000003
【図２】
2014182244.tif 000004
【図３】
2014182244.tif 000005
【図４】
2014182244.tif 000006
【図５】
2014182244.tif 000007
【図６】
2014182244.tif 000008
【図７】
2014182244.tif 000009
【図８】
2014182244.tif 000010
【図９】
2014182244.tif 000011
【図１０】
2014182244.tif 000012